(57)【要約】      （修正有）【課題】画像形成装置に搭載される無線通信モジュールの動作品質の確保を実現するための技術を提供する。【解決手段】画像形成装置１００は、無線ＬＡＮモジュール１５２の起動が初回起動であるか否かを判断し、初回起動であるとの判断に応じて、無線ＬＡＮモジュール１５２の起動が初回起動でない旨を表すように不揮発性記憶部の内容を書き換えるとともに、本体固有情報を不揮発性記憶部に書き込むモジュール形態管理部１１１と、初回起動でないと判断された場合には、不揮発性記憶部に書き込まれている本体固有情報と記憶部に記憶されている本体固有情報とが一致しているか否かを判断し、一致している場合と初回起動であると判断された場合とにおいて無線ＬＡＮモジュール１５２の作動を許可し、初回起動でないと判断された場合において一致していないと判断した場合には、無線ＬＡＮモジュール１５２の作動を制限するモジュール作動管理部１１２とを備える。【選択図】図１
2019014202.tif 000002
【特許請求の範囲】
【請求項１】
不揮発性記憶部を有する無線通信モジュールを装着可能な画像形成装置であって、
前記画像形成装置に固有な情報である本体固有情報を記憶する記憶部と、
前記不揮発性記憶部から読み出されたデータに基づいて前記無線通信モジュールの起動が初回起動であるか否かを判断し、前記初回起動であるとの判断に応じて、前記無線通信モジュールの起動が前記初回起動でない旨を表すように前記不揮発性記憶部の内容を書き換えるとともに、前記本体固有情報を前記不揮発性記憶部に書き込むモジュール形態管理部と、
前記初回起動でないと判断された場合には、前記不揮発性記憶部に書き込まれている本体固有情報と前記記憶部に記憶されている本体固有情報とが一致しているか否かを判断し、前記一致している場合と前記初回起動であると判断された場合とにおいて前記無線通信モジュールの作動を許可し、前記初回起動でないと判断された場合において前記一致していないと判断した場合には、前記無線通信モジュールの作動を制限するモジュール作動管理部と、
を備える画像形成装置。
【請求項２】
請求項１記載の画像形成装置であって、
前記モジュール形態管理部は、前記不揮発性記憶部から読み出されたデータに基づいて、前記無線通信モジュールが予め登録されている正規品であるか否かを判断し、前記無線通信モジュールが前記正規品であると判断した場合に、前記無線通信モジュールの起動が前記初回起動であるか否かを判断する画像形成装置。
【請求項３】
請求項１又は２に記載の画像形成装置であって、
前記画像形成装置は、前記画像形成装置のサポート業務に利用されるサポート用サーバに接続可能であり、
前記モジュール形態管理部は、前記無線通信モジュールが前記画像形成装置に装着された旨を表す情報を含む構成管理情報を生成し、前記構成管理情報を前記サポート用サーバに送信する画像形成装置。
【請求項４】
請求項１乃至３のいずれか１項に記載の画像形成装置であって、
前記モジュール作動管理部は、前記無線通信モジュールの作動の制限として前記無線通信モジュールへの電力の供給を停止する画像形成装置。
【請求項５】
請求項１乃至３のいずれか１項に記載の画像形成装置であって、
前記モジュール作動管理部は、前記無線通信モジュールの作動の制限として前記無線通信モジュールの送信周波数帯と送信出力の少なくとも一方を変更する画像形成装置。
【請求項６】
不揮発性記憶部を有する無線通信モジュールを装着可能な画像形成装置を制御する制御方法であって、
前記画像形成装置に固有な情報である本体固有情報を記憶する記憶工程と、
前記不揮発性記憶部から読み出されたデータに基づいて前記無線通信モジュールの起動が初回起動であるか否かを判断し、前記初回起動であるとの判断に応じて、前記無線通信モジュールの起動が前記初回起動でない旨を表すように前記不揮発性記憶部の内容を書き換えるとともに、前記本体固有情報を前記不揮発性記憶部に書き込むモジュール形態管理工程と、
前記初回起動でないと判断された場合には、前記不揮発性記憶部に書き込まれている本体固有情報と前記記憶工程で記憶されている本体固有情報とが一致しているか否かを判断し、前記一致している場合と前記初回起動であると判断された場合とにおいて前記無線通信モジュールの作動を許可し、前記初回起動でないと判断された場合において前記一致していないと判断した場合には、前記無線通信モジュールの作動を制限するモジュール作動管理工程と、
を備える制御方法。
【請求項７】
不揮発性記憶部を有する無線通信モジュールを装着可能な画像形成装置を制御するための制御プログラムであって、
前記画像形成装置に固有な情報である本体固有情報を記憶する記憶部、
前記不揮発性記憶部から読み出されたデータに基づいて前記無線通信モジュールの起動が初回起動であるか否かを判断し、前記初回起動であるとの判断に応じて、前記無線通信モジュールの起動が前記初回起動でない旨を表すように前記不揮発性記憶部の内容を書き換えるとともに、前記本体固有情報を前記不揮発性記憶部に書き込むモジュール形態管理部、及び
前記初回起動でないと判断された場合には、前記不揮発性記憶部に書き込まれている本体固有情報と前記記憶部に記憶されている本体固有情報とが一致しているか否かを判断し、前記一致している場合と前記初回起動であると判断された場合とにおいて前記無線通信モジュールの作動を許可し、前記初回起動でないと判断された場合において前記一致していないと判断した場合には、前記無線通信モジュールの作動を制限するモジュール作動管理部として前記画像形成装置を機能させる制御プログラム。
【発明の詳細な説明】
【技術分野】
【０００１】
本発明は、画像形成装置、制御方法及び制御プログラムに関し、特に無線通信モジュールを搭載する技術に関する。
【背景技術】
【０００２】
典型的な画像形成装置（たとえばプリンター、多機能プリンター、又は複合機（Ｍｕｌｔｉｆｕｎｃｔｉｏｎ  Ｐｅｒｉｐｈｅｒａｌ））は、複数のパーソナルコンピュータやタブレット、スマートフォンに接続されて使用されることが一般的である。画像形成装置には、ネットワークに接続されるために無線通信を利用可能であるものも多い。無線通信の機能の実現には、モジュール化された無線ＬＡＮモジュールを画像形成装置に搭載することが多い。無線ＬＡＮモジュールは、２．４ＧＨｚ帯や５ＧＨｚ帯と呼ばれる周波数帯で電波の送受信を行うための各国の電波法に基づく認可を取得している。このような無線ＬＡＮモジュールを搭載することにより、画像形成装置は、無線ＬＡＮモジュールに対する認可に基づいて電波法で認可されることになる。
【０００３】
一方、このような電子機器のモジュール化は、非正規品の利用を容易化し、品質保障上並びに信頼性の観点から問題を生じさせることがあった。このような問題に対して、たとえば特許文献１は、無線タグを使用して正規部品以外の部品の使用を検出し、かつ、正規部品に設けられた無線タグが不正に再利用されることを防止する技術を提案している。
【先行技術文献】
【特許文献】
【０００４】
【特許文献１】特開２００８−２７２４１号公報
【発明の概要】
【発明が解決しようとする課題】
【０００５】
しかし、本願発明者は、正規部品への交換であっても供給者側の管理外で行われると、品質保障上の問題が生じることがあることを見いだした。具体的には、たとえば無線通信モジュールの耐用年数の超過や想定外の使用環境における無線通信モジュールの使用による動作品質の低下が考えられる。
【０００６】
本発明は、このような状況に鑑みてなされたものであり、画像形成装置に搭載される無線通信モジュールの動作品質の確保を実現するための技術を提供することを目的とする。
【課題を解決するための手段】
【０００７】
本発明は、不揮発性記憶部を有する無線通信モジュールを装着可能な画像形成装置を提供する。前記画像形成装置は、前記画像形成装置に固有な情報である本体固有情報を記憶する記憶部と、前記不揮発性記憶部から読み出されたデータに基づいて前記無線通信モジュールの起動が初回起動であるか否かを判断し、前記初回起動であるとの判断に応じて、前記無線通信モジュールの起動が前記初回起動でない旨を表すように前記不揮発性記憶部の内容を書き換えるとともに、前記本体固有情報を前記不揮発性記憶部に書き込むモジュール形態管理部と、前記初回起動でないと判断された場合には、前記不揮発性記憶部に書き込まれている本体固有情報と前記記憶部に記憶されている本体固有情報とが一致しているか否かを判断し、前記一致している場合と前記初回起動であると判断された場合とにおいて前記無線通信モジュールの作動を許可し、前記初回起動でないと判断された場合において前記一致していないと判断した場合には、前記無線通信モジュールの作動を制限するモジュール作動管理部とを備える。
【０００８】
本発明は、不揮発性記憶部を有する無線通信モジュールを装着可能な画像形成装置を制御する制御方法を提供する。前記制御方法は、前記画像形成装置に固有な情報である本体固有情報を記憶する記憶工程と、前記不揮発性記憶部から読み出されたデータに基づいて前記無線通信モジュールの起動が初回起動であるか否かを判断し、前記初回起動であるとの判断に応じて、前記無線通信モジュールの起動が前記初回起動でない旨を表すように前記不揮発性記憶部の内容を書き換えるとともに、前記本体固有情報を前記不揮発性記憶部に書き込むモジュール形態管理工程と、前記初回起動でないと判断された場合には、前記不揮発性記憶部に書き込まれている本体固有情報と前記記憶工程で記憶されている本体固有情報とが一致しているか否かを判断し、前記一致している場合と前記初回起動であると判断された場合とにおいて前記無線通信モジュールの作動を許可し、前記初回起動でないと判断された場合において前記一致していないと判断した場合には、前記無線通信モジュールの作動を制限するモジュール作動管理工程とを備える。
【０００９】
本発明は、不揮発性記憶部を有する無線通信モジュールを装着可能な画像形成装置を制御するための制御プログラムを提供する。前記制御プログラムは、前記画像形成装置に固有な情報である本体固有情報を記憶する記憶部、前記不揮発性記憶部から読み出されたデータに基づいて前記無線通信モジュールの起動が初回起動であるか否かを判断し、前記初回起動であるとの判断に応じて、前記無線通信モジュールの起動が前記初回起動でない旨を表すように前記不揮発性記憶部の内容を書き換えるとともに、前記本体固有情報を前記不揮発性記憶部に書き込むモジュール形態管理部、及び前記初回起動でないと判断された場合には、前記不揮発性記憶部に書き込まれている本体固有情報と前記記憶部に記憶されている本体固有情報とが一致しているか否かを判断し、前記一致している場合と前記初回起動であると判断された場合とにおいて前記無線通信モジュールの作動を許可し、前記初回起動でないと判断された場合において前記一致していないと判断した場合には、前記無線通信モジュールの作動を制限するモジュール作動管理部として前記画像形成装置を機能させる。
【発明の効果】
【００１０】
本発明によれば、画像形成装置に搭載される無線通信モジュールの動作品質の確保を実現することができる。
【図面の簡単な説明】
【００１１】
【図１】本発明の一実施形態に係る画像形成システム１０の構成を示すブロックダイアグラムである。
【図２】一実施形態に係る通信インターフェース部１５０の構成を示すブロックダイアグラムである。
【図３】一実施形態に係る無線ＬＡＮモジュール制御処理の内容を示すフローチャートである。
【発明を実施するための形態】
【００１２】
以下、本発明を実施するための形態（以下、「実施形態」という）を、図面を参照して説明する。
【００１３】
図１は、本発明の一実施形態に係る画像形成システム１０の構成を示すブロックダイアグラムである。画像形成システム１０は、画像形成装置１００と、スマートフォン２００と、複数のパーソナルコンピュータ３００と、アクセスポイント（ＡＰ）４００とを備えている。
【００１４】
画像形成装置１００には、インフラストラクチャモードの無線ＬＡＮでアクセスポイント４００とネットワークＮとを介して複数のパーソナルコンピュータ３００が接続されている。画像形成装置１００には、さらにアドホックモードでスマートフォン２００が接続されている。無線通信機能には、本実施形態では、無線ＬＡＮ（ＩＥＥＥ  ８０２．１１）が利用される。この例では、画像形成装置１００には、有線でのネットワーク接続は行われていない。
【００１５】
画像形成装置１００は、制御部１１０と、画像形成部１２０と、操作表示部１３０と、記憶部１４０と、通信インターフェース部１５０とを備えている。画像形成部１２０は、原稿から画像を読み取って画像データを生成し、あるいは印刷ジョブから画像データを生成して印刷媒体上に印刷を行う。画像形成装置１００の操作表示部１３０は、タッチパネルとして機能し、ユーザーの操作入力を受け付ける。
【００１６】
制御部１１０は、モジュール形態管理部１１１と、モジュール作動管理部１１２とを有する。制御部１１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１１０は、各種Ｉ／Ｏ、ＵＳＢ（ユニバーサル・シリアル・バス）、バス、その他ハードウェア等のインターフェースに関連するコントローラ機能を備え、それぞれ画像形成装置１００の全体を制御する。
【００１７】
記憶部１４０は、非一時的な記録媒体であるハードディスクドライブやフラッシュメモリー等からなる記憶装置で、制御部１１０が実行する処理の制御プログラムやデータを記憶する。記憶部１４０は、画像形成装置１００のシリアル番号である本体シリアル番号や構成管理情報を格納する格納領域１４０Ｓを有している。
【００１８】
通信インターフェース部１５０は、有線の送受信回路としての有線通信処理部１５１と、無線ＬＡＮモジュール１５２と、メディアアクセス制御部１５３とを備えている。通信インターフェース部１５０は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコル群を使用して通信を行う。メディアアクセス制御部１５３は、無線ＬＡＮモジュール１５２を装着可能に構成されている。
【００１９】
メディアアクセス制御部１５３は、ＭＡＣアドレステーブル（図示せず）を使用してメディアアクセス制御を実行する。メディアアクセス制御とは、ＯＳＩ参照モデルの第２層にあたるデータリンク層において物理層側の副層を構成する通信プロトコルである。
【００２０】
メディアアクセス制御は、複数の機器が互いを識別し、信号の衝突などを回避して滞りなく通信できるようにすることが主な役割である。具体的には、メディアアクセス制御は、機器を識別するアドレス(ＭＡＣアドレス)の割り当て、信号の送信タイミングの制御(衝突検知や衝突回避)、宛先アドレスなどの制御データを付加したフレームの生成（送信時）や分解（受信時）を行うことができる。
【００２１】
図２は、一実施形態に係る通信インターフェース部１５０の構成を示すブロックダイアグラムである。無線ＬＡＮモジュール１５２は、制御部５２１と、パケット送受信部５２２と、インターフェース部５２３と、不揮発性メモリ５２４とを備えている。不揮発性メモリ５２４は、不揮発性記憶部とも呼ばれる。
【００２２】
制御部５２１は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。制御部５２１は、無線ＬＡＮモジュール１５２の全体を制御する。
【００２３】
インターフェース部５２３は、メディアアクセス制御部１５３から送信されたデータに基づいてパケットから構成される送信データを生成する。パケット送受信部５２２は、送信データを２．４ＧＨｚ帯や５ＧＨｚ帯と呼ばれる周波数帯の搬送波で送信する。
【００２４】
不揮発性メモリ５２４は、非一時的な記録媒体であるハードディスクドライブやフラッシュメモリー等からなる記憶装置で、制御部５２１が実行する処理の制御プログラムやデータを記憶する。不揮発性メモリ５２４は、無線ＬＡＮモジュール１５２のシリアル番号であるモジュールシリアル番号と、無線ＬＡＮモジュール１５２の起動回数とを格納する格納領域５２４Ｓを有している。
【００２５】
図３は、一実施形態に係る無線ＬＡＮモジュール制御処理の内容を示すフローチャートである。ステップＳ１０では、ユーザーは、画像形成装置１００の電源を投入して画像形成装置１００に起動処理を開始させる。起動処理では、画像形成装置１００のメディアアクセス制御部１５３は、無線ＬＡＮモジュール１５２を検出し、無線ＬＡＮモジュール１５２への電力の供給を開始する。
【００２６】
ステップＳ２０では、制御部１１０のモジュール形態管理部１１１は、メディアアクセス制御部１５３を介して不揮発性メモリ５２４からモジュールシリアル番号を読み出す。モジュールシリアル番号は、無線ＬＡＮモジュール１５２のシリアル番号である。
【００２７】
ステップＳ３０では、モジュール形態管理部１１１は、さらに、不揮発性メモリ５２４から無線ＬＡＮモジュール１５２の起動回数を表す起動回数データを読み出す。起動回数データは、たとえば予め設定されているアドレスに格納されている起動回数データが初期値（たとえば全て「１」）なっている場合には、初回起動（過去に起動されていない。）であることを示している。
【００２８】
ステップＳ４０では、モジュール形態管理部１１１は、不揮発性メモリ５２４から読み出されたモジュールシリアル番号が正規品のものであるか否かに基づいて無線ＬＡＮモジュール１５２が正規品であるか否かを判断する。本実施形態では、正規品とは、予め画像形成装置１００に搭載されるものとして記憶部１４０の格納領域１４０Ｓにおいて構成管理情報として登録されている機器を意味している。
【００２９】
モジュール形態管理部１１１は、無線ＬＡＮモジュール１５２が正規品であると判断した場合には、処理をステップＳ５０に進め、無線ＬＡＮモジュール１５２が正規品でないと判断した場合には、処理をステップＳ１００に進める。
【００３０】
ステップＳ５０では、モジュール形態管理部１１１は、起動回数データに基づいて無線ＬＡＮモジュール１５２の起動が初回起動であるか否かを判断する。無線ＬＡＮモジュール１５２の起動が初回起動であると判断した場合には、処理をステップＳ６０に進め、無線ＬＡＮモジュール１５２の起動が初回起動でないと判断した場合には、処理をステップＳ９０に進める。
【００３１】
ステップＳ６０では、モジュール形態管理部１１１は、本体シリアル番号保存処理を実行する。本体シリアル番号保存処理では、モジュール形態管理部１１１は、本体シリアル番号を無線ＬＡＮモジュール１５２の不揮発性メモリ５２４に書き込む。本体シリアル番号は、画像形成装置１００のシリアル番号である。
【００３２】
ステップＳ７０では、制御部１１０のモジュール作動管理部１１２は、無線ＬＡＮモジュール１５２の作動を許可する。無線ＬＡＮモジュール１５２は、モジュール作動管理部１１２からの許可に応じて作動を開始する。モジュール作動管理部１１２は、不揮発性メモリ５２４への本体シリアル番号の書き込み完了に応じて無線ＬＡＮモジュール１５２の作動を許可する。
【００３３】
このように、無線ＬＡＮモジュール１５２の制御部５２１は、無線ＬＡＮモジュール１５２の全体の制御を開始する。一方、モジュール形態管理部１１１は、無線ＬＡＮモジュール１５２が装着されて作動を開始した旨を記憶部１４０の構成管理情報として書き込む。
【００３４】
ステップＳ８０では、モジュール形態管理部１１１は、起動回数更新処理を実行する。起動回数更新処理では、制御部５２１は、起動回数データを書き換えて起動回数（１回）とする。本実施形態では、起動回数更新処理は、無線ＬＡＮモジュール１５２の作動が許可される毎に実行され、起動回数がカウントされる。
【００３５】
しかしながら、このような方法に限定されず、無線ＬＡＮモジュール１５２の起動が初回起動であると判断された場合にだけ、すなわち初回起動であるとの判断に応じて次回の起動が初回起動でない旨を表すように不揮発性メモリ５２４内のフラグを書き換えるようにしてもよい。
【００３６】
一方、モジュール作動管理部１１２は、無線ＬＡＮモジュール１５２が正規品でないと判断した場合（ステップＳ４０）には、無線ＬＡＮモジュール１５２の動作品質が確保できないので、その作動を停止させる（ステップＳ１００）。具体的には、モジュール作動管理部１１２は、無線ＬＡＮモジュール１５２への電力の供給を停止する。
【００３７】
これにより、画像形成装置１００のネットワーク接続は、動作品質が確保されている有線通信処理部１５１を介した有線での接続のみが可能となる。モジュール形態管理部１１１は、無線ＬＡＮモジュール１５２が非装着であるとみなして、その旨を記憶部１４０の構成管理情報として書き込む。
【００３８】
モジュール作動管理部１１２は、無線ＬＡＮモジュール１５２の起動が初回起動でないと判断した場合（ステップＳ５０）には、シリアル番号が一致するか否かを判断する（ステップＳ９０）。具体的には、モジュール作動管理部１１２は、不揮発性メモリ５２４から読み出された本体シリアル番号（画像形成装置１００のシリアル番号）と、記憶部１４０に格納されている本体シリアル番号とが一致するか否かを判断する。
【００３９】
モジュール作動管理部１１２は、シリアル番号が一致すると判断した場合には、無線ＬＡＮモジュール１５２の作動を許可し（ステップＳ７０）、シリアル番号が一致しないと判断した場合には、無線ＬＡＮモジュール１５２の作動を停止させる（ステップＳ１００）。
【００４０】
これにより、無線ＬＡＮモジュールが正規品であっても、供給者側の管理外において使用済みであることに起因して品質保障上の問題が生じる可能性を排除することができる。品質保障上の問題には、たとえば無線ＬＡＮモジュールの耐用年数の超過や想定外の使用環境における無線ＬＡＮモジュールの使用による動作品質の低下が含まれる。
【００４１】
このように、一実施形態に係る画像形成装置１００は、未使用の正規品である無線ＬＡＮモジュール１５２のみに作動を許可するので、画像形成装置１００の無線ＬＡＮ機能の動作品質を確保することができる。
【００４２】
本発明は、上記各実施形態だけでなく、以下のような変形例でも実施することができる。
【００４３】
変形例１：上記実施形態では、モジュール作動管理部１１２は、不揮発性メモリ５２４から読み出された本体シリアル番号と、記憶部１４０に格納されている本体シリアル番号とが一致するか否かを判断しているが、必ずしもシリアル番号に限定されない。モジュール作動管理部は、広く一般に無線ＬＡＮモジュールの不揮発性メモリから読み出された画像形成装置本体に固有の情報である本体固有情報と、画像形成装置の記憶部に格納されている本体固有情報とが一致するか否かを判断するものであればよい。
【００４４】
変形例２：上記実施形態や変形例では、無線ＬＡＮモジュールが初回起動でなく、さらに不揮発性メモリから読み出された本体固有情報と、画像形成装置の記憶部に格納されている本体固有情報とが一致しなかった場合には、電力の供給が停止される。しかしながら、このような方法に限定されず、無線ＬＡＮモジュールの機能を限定するようにモジュール作動管理部を構成してもよい。
【００４５】
具体的には、たとえば無線ＬＡＮモジュールが画像形成装置に装備され、予め想定されている国に画像形成装置が輸出された場合において、画像形成装置から無線ＬＡＮモジュールが取り外されて単体で他の国の画像形成装置に装備された場合を想定する。このような場合には、たとえば電波の送信周波数帯と送信出力の少なくとも一方を変更することによって、どの国もでも利用可能となるように無線ＬＡＮモジュールの機能を制限するようにしてもよい。これにより、供給者側の想定外の使用に起因する無線ＬＡＮモジュールの違法な運用を予防することができる。
【００４６】
変形例３：上記実施形態や変形例では、無線ＬＡＮモジュールが正規品であるか否かは、予め画像形成装置１００に搭載されるものとして記憶部１４０において構成管理情報として登録されている機器であるかに基づいて判断されている。しかしながら、このような方法に限られず、たとえば供給者側の管理下にあって接続可能なサポート用サーバに問い合わせることによって正規品であるか否かを判断するようにしてもよい。
【００４７】
変形例４：上記実施形態や変形例では、モジュール形態管理部１１１は、無線ＬＡＮモジュール１５２が装着されて作動を開始した旨を記憶部１４０の構成管理情報として書き込んでいる。しかしながら、モジュール形態管理部１１１は、さらに供給者側の管理下にあるサポート用サーバに構成管理情報を送信するようにしてもよい。これにより、構成管理情報は、供給者側によるサポート業務で利用可能な情報となる。
【００４８】
変形例５：上記実施形態や変形例では、無線ＬＡＮモジュールが装着されているが、本発明は、必ずしも無線ＬＡＮモジュールに限定されるものではない。具体的には、たとえばＢＬＵＥＴＯＯＴＨ（登録商標）その他の無線通信の機能を提供する無線通信モジュールに適用可能である。
【符号の説明】
【００４９】
１０  画像形成システム
１００  画像形成装置
１１０  制御部
１１１  モジュール形態管理部
１１２  モジュール作動管理部
１２０  画像形成部
１３０  操作表示部
１４０  記憶部
１５０  通信インターフェース部
２００  スマートフォン
３００  パーソナルコンピュータ
４００  アクセスポイント
【図１】
2019014202.tif 000003
【図２】
2019014202.tif 000004
【図３】
2019014202.tif 000005